(57)【要約】      （修正有）【課題】レーザ照射口の照射面に汚れが付着するとレーザ光の損失の原因となる。照射面を常にクリーンな状態に保ってレーザ光の損失を抑制し、トリートメント効率の劣化を防止する。【解決手段】被照射部位Ｓのトリートメントに適合したレーザ光を出射する半導体レーザ３と、半導体レーザ３が出射したレーザ光を照射面７ｅｘから被照射部位Ｓへ照射する導光体７と、導光体７の照射面７ｅｘに対し風を吹き付ける送風ファン１０とを備える。【選択図】図２
2012090870.tif 000002
【特許請求の範囲】
【請求項１】
被照射部位のトリートメントに適合したレーザ光を出射するレーザ光源手段と、
上記レーザ光源手段が出射したレーザ光を照射面から上記被照射部位へ照射する導光体と、
上記導光体の照射面に対し風を吹き付ける送風手段とを備えることを特徴とするレーザトリートメント装置。
【請求項２】
送風手段は、複数の羽を備えた回転体を回転させて風を発生させる送風ファンであることを特徴とする請求項１記載のレーザトリートメント装置。
【請求項３】
送風手段は、手動または電動により空気を圧縮するとともに、この圧縮した空気を導光体の照射面に対して吹き付ける圧縮ポンプであることを特徴とする請求項１記載のレーザトリートメント装置。
【請求項４】
レーザ光源手段で発生した熱を放射するための放熱板を備え、
送風手段は、導光体の照射面および上記放熱板に対し同時にまたは交互に風を吹き付けることを特徴とする請求項１記載のレーザトリートメント装置。
【請求項５】
ＯＮされるとレーザ光源手段にレーザ光の出射を実行させ、ＯＦＦされるとレーザ光源手段にレーザ光の出射を停止させる出射制御手段を備え、
送風手段は、上記出射制御手段のＯＮ／ＯＦＦに連動して風の吹き付けを実行／停止することを特徴とする請求項１記載のレーザトリートメント装置。
【請求項６】
導光体の照射面の周りに設けられ、被照射部位との接触／非接触を検出するタッチセンサ手段を備え、
送風手段は、上記タッチセンサ手段の接触／非接触に連動して風の吹き付けを実行／停止することを特徴とする請求項１記載のレーザトリートメント装置。
【請求項７】
導光体の照射面の周りに設けられ、被照射部位との接触／非接触を検出するタッチセンサ手段を備え、
このタッチセンサ手段は、送風手段からの風を上記照射面へ吹き付ける通風口が形成されることを特徴とする請求項１記載のレーザトリートメント装置。
【請求項８】
導光体は、汚れが付きにくい加工が照射面に施されることを特徴とする請求項１記載のレーザトリートメント装置。
【発明の詳細な説明】
【技術分野】
【０００１】
この発明は、被照射部位に対してレーザ光を照射して、脱毛や発毛、痛み緩和などの各種トリートメントを施すレーザトリートメント装置の分野に係るものである。
【背景技術】
【０００２】
このようなレーザトリートメント装置は例えば特許文献１に開示されている。このレーザトリートメント装置では、レーザダイオードから出射したレーザ光は、導光レンズにより導光されつつレーザ照射口から身体に照射される。
【先行技術文献】
【特許文献】
【０００３】
【特許文献１】特開２００５−２７８７２４号公報
【発明の概要】
【発明が解決しようとする課題】
【０００４】
従来のレーザトリートメント装置は、レーザ照射口の照射面に汚れが付着するとレーザ光の損失の原因となり、トリートメント効率の劣化を招いてしまうという課題があった。
【０００５】
この発明は上記の課題を解決するためになされたもので、照射面を常にクリーンな状態に保ってレーザ光の損失を抑制し、トリートメント効率の劣化を防止することが可能なレーザトリートメント装置を提供することを目的とする。
【課題を解決するための手段】
【０００６】
この発明に係るレーザトリートメント装置は、被照射部位のトリートメントに適合したレーザ光を出射するレーザ光源手段と、レーザ光源手段が出射したレーザ光を照射面から被照射部位へ照射する導光体と、導光体の照射面に対し風を吹き付ける送風手段とを備えるようにしたものである。
【０００７】
この発明に係るレーザトリートメント装置は、送風手段は、複数の羽を備えた回転体を回転させて風を発生させる送風ファンであるようにしたものである。
【０００８】
この発明に係るレーザトリートメント装置は、送風手段は、手動または電動により空気を圧縮するとともに、この圧縮した空気を導光体の照射面に対して吹き付ける圧縮ポンプであるようにしたものである。
【０００９】
この発明に係るレーザトリートメント装置は、レーザ光源手段で発生した熱を放射するための放熱板を備え、送風手段は、導光体の照射面および放熱板に対し同時にまたは交互に風を吹き付けるようにしたものである。
【００１０】
この発明に係るレーザトリートメント装置は、ＯＮされるとレーザ光源手段にレーザ光の出射を実行させ、ＯＦＦされるとレーザ光源手段にレーザ光の出射を停止させる出射制御手段を備え、送風手段は、出射制御手段のＯＮ／ＯＦＦに連動して風の吹き付けを実行／停止するようにしたものである。
【００１１】
この発明に係るレーザトリートメント装置は、導光体の照射面の周りに設けられ、被照射部位との接触／非接触を検出するタッチセンサ手段を備え、送風手段は、タッチセンサ手段の接触／非接触に連動して風の吹き付けを実行／停止するようにしたものである。
【００１２】
この発明に係るレーザトリートメント装置は、導光体の照射面の周りに設けられ、被照射部位との接触／非接触を検出するタッチセンサ手段を備え、このタッチセンサ手段は、送風手段からの風を照射面へ吹き付ける通風口が形成されるようにしたものである。
【００１３】
この発明に係るレーザトリートメント装置は、導光体は、汚れが付きにくい加工が照射面に施されるようにしたものである。
【発明の効果】
【００１４】
以上のように、この発明によれば、被照射部位のトリートメントに適合したレーザ光を出射するレーザ光源手段と、レーザ光源手段が出射したレーザ光を照射面から被照射部位へ照射する導光体と、導光体の照射面に対し風を吹き付ける送風手段とを備えるようにしたので、導光体の照射面に付着する汚れを風の吹き付けにより除去できるようになり、常にクリーンな状態に照射面を保ってレーザ光の損失を抑制し、トリートメント効率の劣化を防止できるという効果が得られる。また、照射面を冷却できるようになり、照射面の耐熱性を向上できるという効果が得られる。さらに、照射面と被照射部位とが接近している場合には、被照射部位も同時に冷却できるようになり、レーザ光の過剰照射により発生する火傷などを抑制できるという効果が得られる。
【００１５】
この発明によれば、送風手段は、複数の羽を備えた回転体を回転させて風を発生させる送風ファンであるようにしたので、複数の羽を備えた回転体の回転により風を連続して発生させられるようになり、長い時間にわたって照射面をクリーンな状態に保つことができるという効果が得られる。
【００１６】
この発明によれば、送風手段は、手動または電動により空気を圧縮するとともに、この圧縮した空気を導光体の照射面に対して吹き付ける圧縮ポンプであるようにしたので、空気の圧縮の度合いに応じて、より強い風を照射面に吹き付けられるようになり、照射面にしつこく付着した汚れをも容易に除去できるという効果が得られる。
【００１７】
この発明によれば、レーザ光源手段で発生した熱を放射するための放熱板を備え、送風手段は、導光体の照射面および放熱板に対し同時にまたは交互に風を吹き付けるようにしたので、風の吹き付けにより放熱板が冷却されて放熱が促進されるようになり、レーザ光源手段の熱性能を向上できるという効果が得られる。
【００１８】
この発明によれば、ＯＮされるとレーザ光源手段にレーザ光の出射を実行させ、ＯＦＦされるとレーザ光源手段にレーザ光の出射を停止させる出射制御手段を備え、送風手段は、出射制御手段のＯＮ／ＯＦＦに連動して風の吹き付けを実行／停止するようにしたので、レーザトリートメント装置の使用者にとって送風手段の制御が理解しやすくなり、利便性を向上できるという効果が得られる。
【００１９】
この発明によれば、導光体の照射面の周りに設けられ、被照射部位との接触／非接触を検出するタッチセンサ手段を備え、送風手段は、タッチセンサ手段の接触／非接触に連動して風の吹き付けを実行／停止するようにしたので、レーザトリートメント装置の使用者にとって送風手段の制御が理解しやすくなり、利便性を向上できるという効果が得られる。
【００２０】
この発明によれば、導光体の照射面の周りに設けられ、被照射部位との接触／非接触を検出するタッチセンサ手段を備え、このタッチセンサ手段は、送風手段からの風を照射面へ吹き付ける通風口が形成されるようにしたので、通風口形成のための余分な外部構成を別途設ける必要がなくなり、レーザトリートメント装置の構成が簡単になるという効果が得られる。
【００２１】
この発明によれば、導光体は、汚れが付きにくい加工が照射面に施されるようにしたので、導光体の照射面に汚れが付着しにくくなり、仮に照射面に汚れが付着しても汚れを容易に除去できるという効果が得られる。
【図面の簡単な説明】
【００２２】
【図１】この発明の実施の形態１によるレーザトリートメント装置の外観を示す図である。
【図２】この発明の実施の形態１によるレーザトリートメント装置の構成を示すブロック図である。
【図３】この発明の実施の形態１によるレーザトリートメント装置の構成を部分的に示すブロック図である。
【図４】この発明の実施の形態１によるレーザトリートメント装置の動作を示すフローチャートである。
【発明を実施するための形態】
【００２３】
以下、図面を参照しつつ、この発明の実施の形態を詳細に説明する。なお、各図面では、同一の構成または相当する構成については同一の符号を付す。
実施の形態１．
図１はこの発明の実施の形態１によるレーザトリートメント装置の外観を示す図、図２はこの発明の実施の形態１によるレーザトリートメント装置の構成を模式的に示すブロック図である。
【００２４】
図１，図２において、Ｓはトリートメント対象となる被照射部位、１はレーザトリートメント装置、２はレーザトリートメント装置１を制御するＣＰＵ，３は被照射部位Ｓのトリートメントに適したレーザ光を出射する半導体レーザ、４は半導体レーザ３を駆動するレーザ駆動回路、５は半導体レーザ３で発生した熱を放射する放熱板、６は半導体レーザ３にレーザ光を出射させる出射制御手段としての出射ボタンである。
【００２５】
また、７は半導体レーザ３が出射したレーザ光を受光すると照射面７ｅｘから被照射部位Ｓへ照射する導光体、８は照射面７ｅｘの周りに設けられ被照射部位Ｓとの接触／非接触を検出するタッチセンサ、９はタッチセンサ８の検出結果をＣＰＵ２に伝えるタッチセンサ処理回路、１０はシロッコファンなどの送風ファン、１１は送風ファン１０を駆動する送風ファン駆動回路、１２は送風ファン１０に風を発生させる際に使用する送風ボタン、１３は送風ファン１０からの風を照射面７ｅｘに吹き付ける通風口である。
【００２６】
ＣＰＵ２，送風ファン１０および送風ファン駆動回路１１から送風手段が、半導体レーザ３およびレーザ駆動回路４からレーザ光源手段が、タッチセンサ８およびタッチセンサ処理回路９からタッチセンサ手段がそれぞれ構成されている。
【００２７】
このレーザトリートメント装置１では、例えばトリートメントを行う直前に使用者が送風ボタン１２を押すと、送風ファン駆動回路１１により送風ファン１０が駆動されて強い風が発生する。この風は、送風ファン１０からタッチセンサ８に形成された通風口１３を通って導光体７の照射面７ｅｘへ吹き付け、導光体７の照射面７ｅｘに付着した埃などの汚れを飛ばすようになっている。
【００２８】
したがって、常にクリーンな状態に保たれた照射面７ｅｘからレーザ光を照射でき、照射面７ｅｘにおけるレーザ光の損失を抑制でき、トリートメント効率の劣化を防ぐことが可能となっている。同時に、照射面７ｅｘが冷却されるようになり、照射面７ｅｘの耐熱性を向上できる。
【００２９】
なお、レーザトリートメント装置１が被照射部位Ｓに近接している状態、例えばトリートメント中やトリートメント直前・直後の状態で送風ファン１０から照射面７ｅｘへ風を吹き付けるようにすれば、照射面７ｅｘに近接する被照射部位Ｓも同時に冷却できるようになり、レーザ光の過剰照射により発生する火傷などを抑制することも可能となる。
【００３０】
また、導光体７の照射面７ｅｘにフッ素加工などの汚れが付きにくい加工を施すようにしても良い。このことにより、照射面７ｅｘに汚れが付着しにくくなり、仮に照射面７ｅｘに汚れが付着しても汚れを容易に除去できる。
【００３１】
さらに、複数の羽を備えた回転体を回転させて風を発生させる送風ファン１０を使用することにより、風を連続して発生させられるようになり、長い時間にわたって照射面７ｅｘをクリーンな状態に保つことができる。
【００３２】
さらに、図示は省略するが、手動または電動により空気を圧縮するとともに、この圧縮空気を照射面７ｅｘに対して一気に吹き付ける圧縮ポンプを送風手段としても良い。空気の圧縮の度合いに応じて、より強い風を照射面７ｅｘに吹き付けられるようになり、照射面７ｅｘにしつこく付着した汚れをも容易に除去できる。
【００３３】
さらに、通風口１３は、タッチセンサ８以外の箇所に形成しても良いが、タッチセンサ８に形成することで、通風口１３形成のための余分な外部構成を別途設ける必要がなくなり、レーザトリートメント装置１の構成が簡単になる。なお、通風口１３を形成するタッチセンサ８は図１のように１個でも良いし、複数個のタッチセンサ８に通風口１３を形成しても良い。
【００３４】
さらに、例えば図３に示すように、レーザトリートメント装置１において、ＣＰＵ２が制御可能な電動弁１５を備えた分岐パイプ１４を送風ファン１０に設け、分岐パイプ１４の分岐側１４Ｘをタッチセンサ８の通風口１３へ、分岐パイプ１４の分岐側１４Ｙを放熱板５へ向けておき、以下に示すような制御を行っても良い。
【００３５】
図４はこの発明の実施の形態１によるレーザトリートメント装置の動作を示すフローチャートである。
図４において、レーザトリートメント装置１が起動されると、ＣＰＵ２は、時間を計測するための変数ｔを初期化し（ステップＳＴ１）、電動弁１５を制御して、送風ファン１０で発生した風が分岐パイプ１４の分岐側１４Ｘを通って通風口１３から照射面７ｅｘに吹き付けるようにする。送風ファン１０からの風は、変数ｔが所定の時間Ｔａｉｒに達するまで導光体７の照射面７ｅｘへ吹き付けられる（ステップＳＴ２〜ＳＴ４）。
【００３６】
時間Ｔａｉｒだけ風が吹き付けられると（ステップＳＴ４でＮｏ）照射面７ｅｘはクリーンな状態になったものとして、ＣＰＵ２は再び変数ｔを初期化し（ステップＳＴ５）、タッチセンサ８の接触／非接触、出射ボタン６のＯＮ／ＯＦＦを判断する（ステップＳＴ６）。タッチセンサ８の接触と出射ボタン６のＯＮとの両条件が満たされない限り（ステップＳＴ６でＮｏ）、安全性確保の観点からレーザ光は出射されず（ステップＳＴ７）、送風ファン１０を停止し（ステップＳＴ８）、待ち受け状態となる（ステップＳＴ６〜ＳＴ９）。
【００３７】
一方、タッチセンサ８の接触がタッチセンサ処理回路９で検出され、出射ボタン６がＯＮされると（ステップＳＴ６でＹｅｓ）、ＣＰＵ２は、レーザ駆動回路４により半導体レーザ３を駆動し、半導体レーザ３のレーザ光を受光して照射面７ｅｘから被照射部位Ｓにするとともに（ステップＳＴ１０）、送風ファン駆動回路１１により送風ファン１０を駆動し、電動弁１５を制御して、送風ファン１０の風が分岐パイプ１４の分岐側１４Ｙを通って放熱板５を吹き付けるようにする（ステップＳＴ１１）。
【００３８】
このように、送風ファン１０で照射面７ｅｘをクリーンにした後は、送風ファン１０の風を放熱板５に吹き付けるようにすることで、放熱板５が冷却されて半導体レーザ３で発生した熱の放射が促進されるようになり、半導体レーザ３の熱性能を向上することができる。
【００３９】
ＣＰＵ２は、変数ｔが時間Ｔｍａｘに達するまでは（ステップＳＴ１２，ＳＴ１３でＹｅｓ）レーザ光の照射（ステップＳＴ１０）と放熱板５への風の吹き付け（ステップＳＴ１１）を続け、変数ｔが時間Ｔｍａｘに達すると（ステップＳＴ１２，ＳＴ１３でＮｏ）、レーザ光の照射を停止する（ステップＳＴ１４）。そしてＣＰＵ２は、例えば電源ボタンの長押しなどがされなければ他にまだ被照射部位Ｓがあるものとして（ステップＳＴ１５でＹｅｓ）再びステップＳＴ１に戻り、電源ボタンの長押しなどがされるともう被照射部位Ｓはないものとし（ステップＳＴ１５でＮｏ）、送風ファン１０を停止して（ステップＳＴ１６）一連の処理を終了する。
【００４０】
なお、図４では、照射面７ｅｘおよび放熱板５への風の吹き付けを交互に行うようにしたが、送風ファン１０の風量が十分であるならば、両者への風の吹き付けは同時に行っても良い。
【００４１】
また、照射面７ｅｘおよび放熱板５への風の吹き付けは、分岐パイプ１４を使った方法に限定されず、送風ファンの送風口の向きを可変に構成しておき、この送風口を照射面７ｅｘに向けたり、放熱板５に向けたりするようにしても良い。
【００４２】
さらに、レーザトリートメント装置１の起動と同時に送風ファン１０を駆動し、レーザトリートメント装置１の起動中は、照射面７ｅｘや放熱板５に対し送風ファン１０から風を常に吹き付けるようにしても良い。
【００４３】
さらに、送風ファン１０の風の吹き付けも出射ボタン６のＯＮ／ＯＦＦやタッチセンサ８の接触／非接触に連動して実行／停止するようにすれば、レーザトリートメント装置１の使用者にとって送風ファン１０の制御が理解しやすくなり、利便性を向上することができる。
【符号の説明】
【００４４】
Ｓ  被照射部位、１  レーザトリートメント装置、２  ＣＰＵ，３  半導体レーザ、４  レーザ駆動回路、５  放熱板、６  出射ボタン、７  導光体、７ｅｘ  照射面、８  タッチセンサ、９  タッチセンサ処理回路、１０  送風ファン、１１  送風ファン駆動回路、１２  送風ボタン、１３  通風口、１４  分岐パイプ、１５  電動弁。
【図１】
2012090870.tif 000003
【図２】
2012090870.tif 000004
【図３】
2012090870.tif 000005
【図４】
2012090870.tif 000006